(57)【要約】  発信側デバイスの現在のロケーションは、発信側パーティおよび／または発信側パーティのサービス・ネットワークによって認可されるレベルまでだけ、着信側デバイスに対して提供される。コンフィギュレーション・ファイルは、例えば、現在のロケーションのプライバシー設定データベースに保持されることが可能である。発信側デバイスの現在のロケーションは、認可される程度、例えば、粗い（例えば、ぼやけさせられた）程度、または正確な（例えば、完全な詳細を伴う）程度までだけ、着信側デバイスに対して提供される。発信側デバイスの現在のロケーションは、必要に応じてぼやけさせられることが可能であり、強化されたロケーション・ベースのコールに関連した情報（例えば、発信者識別情報）として着信側デバイスに対して戻される。発信者の現在のロケーションの提供は、ワイヤレス・ネットワーク・プロバイダによってアド・オン・サービスに結合されることが可能である。そのようなサービスが、アクティブにされながら、そのサービスを有する着信側加入者は、発信者の本発明の現在のロケーションと一緒に、それ以外の従来の発信者識別情報を受信することになる。
2013526148.tif 000002
【特許請求の範囲】
【請求項１】
発信側デバイスから着信側デバイスへのコール要求を受信すること、
前記着信側デバイスにおいて前記コール要求を受け入れる前に、前記発信側デバイスの現在のロケーションを受信すること、および
前記着信側デバイスが着信コールを警告するときに、前記着信側デバイスにおいて前記発信側デバイスの前記現在のロケーションを表示すること
を備える、着信側デバイスにおいて発信者のコールに関連したロケーション情報を受信する方法。
【請求項２】
ロケーション・ベースのサービス（ＬＢＳ）サーバに前記発信側デバイスの現在のロケーションを要求すること
をさらに備える、請求項１に記載の、着信側デバイスにおいて発信者のコールに関連したロケーション情報を受信する方法。
【請求項３】
前記現在のロケーションは、前記発信側パーティの所在地住所として前記着信側デバイスによって受信される、請求項１に記載の、着信側デバイスにおいて発信者のコールに関連したロケーション情報を受信する方法。
【請求項４】
前記現在のロケーションは、前記発信側パーティの緯度／経度として前記着信側デバイスによって受信される、請求項１に記載の、着信側デバイスにおいて発信者のコールに関連したロケーション情報を受信する方法。
【請求項５】
発信側パーティからコール要求を受信すること、
ロケーション・ベースのサービス（ＬＢＳ）サーバに対してロケーション要求を送信すること、
前記発信側パーティの現在のロケーションを含む、前記ロケーション要求に対する応答を受信すること、および
前記発信側パーティによってコールされるパーティに対して前記現在のロケーションを提供すること
を備える、着信側パーティに対してコールに関連したロケーション・サービスを提供する方法。
【請求項６】
前記発信側パーティの前記現在のロケーションの受信のために前記着信側デバイスを認可すること
をさらに備える、請求項５に記載の、着信側パーティに対してコールに関連したロケーション・サービスを提供する方法。
【請求項７】
発信側パーティからのコール要求を受信すること、
前記コール要求が、前記着信側パーティによって応答される前に、前記発信側パーティから、前記発信側パーティのＧＰＳにより取得された現在のロケーションを受信すること、および
前記着信側デバイスの上で前記発信側パーティの前記ＧＰＳにより取得された現在のロケーションを表示すること
を備える、着信側パーティにより発信側パーティのコールに関連したロケーションを受信する方法。
【請求項８】
前記着信側デバイスが、前記ＧＰＳにより取得された現在のロケーションを受信するための認可を取得すること
をさらに備える、請求項７に記載の、着信側パーティにより発信側パーティのコールに関連したロケーションを受信する方法。
【請求項９】
前記発信側パーティの、前記ＧＰＳにより取得された現在のロケーションは、所在地住所である、請求項７に記載の、着信側パーティにより発信側パーティのコールに関連したロケーションを受信する方法。
【請求項１０】
前記発信側パーティの、前記ＧＰＳにより取得された現在のロケーションは、緯度／経度である、請求項７に記載の、着信側パーティにより発信側パーティのコールに関連したロケーションを受信する方法。
【発明の詳細な説明】
【技術分野】
【０００１】
本出願は、その全体が、参照により本明細書に明示的に組み込まれている２０１０年４月１６日に出願された「Ｅｎｈａｎｃｅｄ  Ｌｏｃａｔｉｏｎ  Ｂａｓｅｄ  Ｃａｌｌ  Ｒｅｌａｔｅｄ  Ｉｎｆｏｒｍａｔｉｏｎ（Ｃａｌｌｅｒ  ＩＤ）」という名称の米国仮出願第６１／２８２，８８７号の優先権を主張するものである。
【０００２】
本発明は、一般に、電気通信と、ボイス・オーバー・インターネット・プロトコル（Ｖｏｉｃｅ  Ｏｖｅｒ  Ｉｎｔｅｒｎｅｔ  Ｐｒｏｔｏｃｏｌ）（ＶｏＩＰ）と、セルラー方式通信と、ロケーション・ベースのシステムとに関する。
【背景技術】
【０００３】
発信側番号識別情報（Ｃａｌｌｉｎｇ  ｎｕｍｂｅｒ  ｉｄｅｎｔｉｆｉｃａｔｉｏｎ）（ＣＮＩＤ）とも呼ばれる、発信者識別情報（Ｃａｌｌｅｒ  ＩＤ）（ＣＩＤ）など、コールに関連した情報は、コールがセットアップされるが、コールが応答される前の時間中に発信者の番号を着信側パーティ（ｃａｌｌｅｄ  ｐａｒｔｙ）の電話装置に対して送信する、電話およびＶｏＩＰアプリケーションにおいて使用可能なサービスである。レガシー地上通信線の実施形態においては、コールに関連した情報は、第１の呼び出し信号と第２の呼び出し信号との間に着信側パーティに対して提供される。
【０００４】
着信コール（ｉｎｃｏｍｉｎｇ  ｃａｌｌ）についてのロケーションは、着信側パーティに対して自動的に提供されはしない。着信コールについてのロケーションは、せいぜい、着信電話番号の第１の３桁（すなわち、市外局番（ａｒｅａ  ｃｏｄｅ））を使用して発信者識別情報から概略的に見積もられることが可能であるにすぎない。
【発明の概要】
【課題を解決するための手段】
【０００５】
本発明の原理によれば、着信側デバイス（ｃａｌｌｅｄ  ｄｅｖｉｃｅ）における発信者（ｃａｌｌｅｒ）のコールに関連したロケーション情報を受信する一方法は、発信側デバイス（ｃａｌｌｉｎｇ  ｄｅｖｉｃｅ）から着信側デバイスへのコール要求（ｃａｌｌ  ｒｅｑｕｅｓｔ）を受信することを備える。前記着信側デバイスが、コール要求を受け入れる前に、発信側デバイスの現在のロケーションが、受信される。着信側デバイスが、着信コールを警告するときに、発信側デバイスの現在のロケーションは、着信側デバイスにおいて表示される。
【０００６】
本発明の別の態様によれば、着信側パーティに対してコールに関連したロケーション・サービスを提供する一方法は、発信側パーティからコール要求を受信することを備える。ロケーション要求は、ロケーション・ベースのサービス（ｌｏｃａｔｉｏｎ  ｂａｓｅｄ  ｓｅｒｖｉｃｅ）（ＬＢＳ）のサーバに対して送信される。発信側パーティの現在のロケーションを含む、ロケーション要求に対する応答が、受信される。現在のロケーションは、発信側パーティによって呼び出されるパーティに対して提供される。
【０００７】
さらに別の態様によれば、着信側パーティにより発信側パーティのコールに関連したロケーションを受信する一方法は、発信側パーティからコール要求を受信することを備える。コール要求が、着信側パーティによって応答される前に、発信側パーティについてのＧＰＳによって取得された現在のロケーションが、発信側パーティから受信される。発信側パーティについてのＧＰＳによって取得された現在のロケーションは、着信側デバイスの上で表示される。
【０００８】
本発明の特徴と利点とは、図面を参照しての以下の説明から当業者には明らかになるであろう。
【図面の簡単な説明】
【０００９】
【図１】本発明の原理に従って、着信側パーティに対する電話コール（ｐｈｏｎｅ  ｃａｌｌ）を開始するときに発信者の現在のロケーションを着信側パーティに対して提供する、コールに関連したロケーション情報サービスを含む通信ネットワークの例示の一実施形態を示す図である。
【図２】本発明の原理に従って、コールを行う加入者に関連したプライバシー設定のデータベースを含めて、着信側パーティに対する電話コールを開始するときに発信者の現在のロケーションを着信側パーティに対して提供する、コールに関連したロケーション情報サービスを含む通信ネットワークの別の例示の実施形態を示す図である。
【図３】本発明の原理に従って、加入者のコールに関連したロケーション加入サービスに加入している着信側パーティに関連した情報を保持するデータベースを含めて、着信側パーティに対する電話コールを開始するときに発信者の現在のロケーションを着信側パーティに対して提供する、コールに関連したロケーション情報サービスを含む通信ネットワークのさらに別の例示の実施形態を示す図である。
【図４】本発明の原理に従って、ネットワークのロケーション・ベースのサービス（ＬＢＳ）サーバから発信者の現在のロケーションを取得するための、および着信コールの受け入れの前に発信者の現在のロケーションを着信側パーティに対して提供するための第１の例示のプロシージャを示す図である。
【図５】本発明の原理に従って、発信側デバイスそれ自体から発信者の現在のロケーションを提供するための、および着信コールの受け入れの前に発信者の現在のロケーションを着信側パーティに対して提供するための第１の例示のプロシージャを示す図である。
【発明を実施するための形態】
【００１０】
現在の技術は、発信者が実際にどこからコールしているかを指定する正確な（または粗いものでさえ）ロケーションを示してはいない。これは、典型的には、人が１つの場所（例えば、彼らの家）に一般に関連する市外局番を持つモバイル電話番号を有するにもかかわらず、ローミングするときには、文字通り国のどこからでもコールすることができるというワイヤレスの世界において、特に当てはまる。
【００１１】
本発明は、着信側パーティが、ロケーション・ベースのシステム（ＬＢＳ）技術を使用してコールに応答する前に、発信者の現在のロケーションを着信側パーティに対して供給する方法および技術を提供している。発信者の現在のロケーションは、ロケーション情報以外のコールに関連した情報（例えば、従来の発信者識別情報）として提供される情報と一緒に提供される。発信者の現在のロケーションは、ボイス・オーバー・インターネット・プロトコル（ＶｏＩＰ）電話を含めて、地上通信線電話とモバイル電話とに提供されることが好ましい。
【００１２】
好ましい実施形態においては、発信側パーティの現在のロケーションは、帯域外の通信チャネルにおいて、すなわち、音声チャネルとは別に、着信側パーティに対して提供される。ワイヤレス・ネットワークにおいては、現在のロケーションは、ワイヤレス・デバイスと、サービング・ワイヤレス・ネットワーク（ｓｅｒｖｉｎｇ  ｗｉｒｅｌｅｓｓ  ｎｅｔｗｏｒｋ）との間のパケット・データ通信チャネルにおいて提供されることが可能である。
【００１３】
本発明の原理に従って、本明細書においてコールに関連したロケーションと称される、発信者の現在のロケーションは、発信者の電話番号など、ロケーション情報以外の従来のコールに関連した情報と一緒に、着信側パーティに対して提供されることが可能である。
【００１４】
いくつかの実施形態においては、発信者の名前と、電話番号と、発信者の現在のロケーションとは、すべてコール・セットアップ・プロシージャの一部分として着信側パーティに対して提供される。他の実施形態においては、ディスプレイ・スペースが着信側パーティの受信デバイスの上に制限される場合には特に、制限されたコールに関連した情報を表示させることが可能である。例えば、発信者の現在のロケーションだけを、発信者の名前と一緒に表示させることが可能であり、または発信者の現在のロケーションだけを、発信者の電話番号と共に表示させることが可能である。
【００１５】
図１は、本発明の原理に従って、着信側パーティに対する電話コールを開始するときに発信者の現在のロケーションを着信側パーティに対して提供する、コールに関連したロケーション情報サービスを含む通信ネットワークの例示の一実施形態を示すものである。
【００１６】
とりわけ、図１に示されるように、発信側モバイル・デバイス１２０は、発信側パーティのロケーションを含むコールに関連した情報を表示するディスプレイ１００を含む着信側デバイス１１０に対してコールを行う。着信側パーティは、彼らのサービス・ワイヤレス・ネットワーク１５０を経由してコールを行い、その同じ彼らのサービス・ワイヤレス・ネットワーク１５０、または異なる着信側パーティのネットワーク１６０を使用することができる。
【００１７】
コールが、発信側モバイル・デバイス１２０によって行われるときに、ロケーション要求が、ロケーション・ベースのサービス（ＬＢＳ）サーバ１４０に対して、発信者のワイヤレス・ネットワーク１５０においてトリガされ、このロケーション・ベースのサービス（ＬＢＳ）サーバ１４０は、発信者の現在のロケーションを取得し、それを着信側デバイス１１０に対してルーティングする。
【００１８】
代わりに、発信側モバイル・デバイス１２０が、それ自体のロケーションを提供する能力を有する場合には、発信者の発信側デバイス１２０の現在のロケーションは、コール・セットアップ・プロシージャ中に着信側デバイス１１０に対して提供するために発信者のワイヤレス・ネットワーク１５０に対して提供されることも可能である。
【００１９】
発信側デバイス１１０それ自体によって取得されるロケーションを使用するときに、緯度／経度（ｌａｔ／ｌｏｎ）タイプの測定が、実現されることが可能である。そのような場合には、着信側デバイス１１０は、そのコールに関連した情報ディスプレイ１００の上で発信者の未処理（ｒａｗ）のｌａｔ／ｌｏｎロケーションを表示することができ、あるいは最初に地理的情報システム（Ｇｅｏｇｒａｐｈｉｃａｌ  Ｉｎｆｏｒｍａｔｉｏｎ  Ｓｙｓｔｅｍ）（ＧＩＳ）または類似したサーバに対するルックアップを実装して、発信者の現在のロケーションについてのもっとユーザ・フレンドリーなバージョンを、例えば、発信側モバイル・デバイス１２０を使用している発信者が現在コールしている場所に最も近い所在地住所（ｓｔｒｅｅｔ  ａｄｄｒｅｓｓ）を決定することができる。
【００２０】
別の実施形態においては、有効な所在地住所に対するｌａｔ／ｌｏｎ情報についてのルックアップは、適切なネットワーク・サーバによって実行されることが可能であり、有効な所在地住所情報は、着信側デバイス１１０に対して提供されることが可能であるが、着信側デバイス１１０に対してコールに関連したロケーションを提供する前の、有効な所在地住所についてのルックアップは、着信側デバイス１１０に対する発信側デバイス１２０の現在のロケーション情報の通過についての、いくつかのネットワークにおける望ましくない遅延を引き起こす可能性がある。
【００２１】
着信側デバイス１１０の能力に応じて、着信側デバイスに対して提供される、コールに関連した情報は、適切な方法で、例えば、航空写真地図、衛星写真地図、道路地図または類似したものと一緒に、発信側デバイス１２０の地理的な現在のロケーションを示すことができる。
【００２２】
代替的な一実施形態においては、発信側デバイス１２０が、自体でロケーションを見つける能力（全地球測位システム（ｇｌｏｂａｌ  ｐｏｓｉｔｉｏｎｉｎｇ  ｓｙｓｔｅｍ）（ＧＰＳ）など）を有する場合、発信側デバイス１２０の現在のロケーションは、コール・セットアップおよび着信側デバイス１１０に対するコールに関連した情報の提供において使用するための発信者のワイヤレス・ネットワーク１５０に対して発信側デバイス１２０自体によって提供されることが可能である。
【００２３】
図２は、本発明の原理に従って、コールを行う加入者に関連したプライバシー設定のデータベース２００を含めて、着信側パーティに対する電話コールを開始するときに発信者の現在のロケーションを着信側パーティに対して提供する、コールに関連したロケーション情報サービスを含む通信ネットワークの別の例示の実施形態を示すものである。
【００２４】
とりわけ、図２に示されるように、加入者プライバシー設定のデータベース２００は、発信者のワイヤレス・ネットワーク１５０によってアクセス可能である。加入者プライバシー設定のデータベース２００は、発信者のワイヤレス・ネットワーク１５０との通信が図示されているが、発信者のワイヤレス・ネットワーク１５０の代わりに、または発信者のワイヤレス・ネットワーク１５０に加えて、着信側パーティのネットワーク１６０と通信することもできる。
【００２５】
加入者プライバシー設定データベース２００におけるエントリは、例えば、関連のあるネットワークにおける発信側モバイル・デバイス１２０の初期登録中に、あらかじめ構成されていることが好ましい。加入者プライバシー設定データベース２００における各エントリは、与えられた発信側モバイル・デバイス１２０および／または与えられたユーザを一意的に識別するために十分な情報を含むことが好ましい。
【００２６】
動作中に、ひとたび発信者の正確な現在のロケーションが、例えば、ＬＢＳサーバ１４０に対する要求を経由して取得された後に、発信者の現在のロケーションについての正確さは、発信側モバイル・デバイス１２０の上で発信者によってあらかじめ確立されるロケーションを提供するためのプライバシーのレベルに基づいて、その最高の正確さから適度に不正確なロケーションへと「ぼやけさせられる（ｂｌｕｒｒｅｄ）」ことが可能である。発信側モバイル・デバイス１２０の現在のロケーション情報についてのぼやけ（ｂｌｕｒｒｉｎｇ）は、発信側モバイル・デバイス１２０が、発信者の現在のロケーションを正確に示す（ｐｉｎ  ｐｏｉｎｔ）ために十分な正確な情報を着信側パーティに対して与えることを意図していないという状況を回避する。
【００２７】
発信側モバイル・デバイス１２０の現在のロケーションについてのぼやけは、ネットワーク・プライバシー要件によってあらかじめ確立される最小限のプライバシー設定に従い、（追加して、または選択して）ぼやけさせられることも可能である。
【００２８】
ぼやけさせられた、または低減させられた正確さの状態においては、着信側デバイス１１０に対して提供されるコールに関連した情報は、着信側パーティが着信コールを受け入れる前に適切に着信側パーティに通知する、単純に汎用化された（しかし、正確な）発信側デバイス１２０の現在のロケーションとすることができる。例えば、発信側デバイス１２０の現在のロケーションは、発信者がそこからコールを行っている都市としてのみ提供されることが可能である。より正確な形式においては、発信者の現在のロケーションは、完全な所在地住所として提供されることが可能である。
【００２９】
あらかじめ確立されているものとして説明されるが、プライバシー設定は、発信側モバイル・デバイス１２０の上でコールごとの基準で確立されることが可能である。例えば、コールを行うときに、発信者は、「送信（ＳＥＮＤ）」ボタンをアクティブにする前に、ロケーションを提供するための選択肢の組からその特定のコールについての与えられたプライバシー・レベルを選択することができる。代わりに、プライバシーのレベルは、おそらく着信側デバイス１１０を含む連絡先リストの中で、発信側モバイル・デバイス１２０の上で（または発信者のワイヤレス・ネットワーク１５０において、および発信側モバイル・デバイス１２０に関連して）あらかじめ確立されることも可能である。そのような場合には、着信側デバイス１１０が、連絡先リストの中に含まれていない場合に、プライバシーのレベルは、デフォルトの、あらかじめ構成された値を取ることができる。
【００３０】
現在のロケーションについてのぼやけさせられた正確さの一例として、発信側デバイス１２０の現在のロケーションは、郵便番号（ｐｏｓｔａｌ  ＺＩＰ  ｃｏｄｅ）、または都市の名前としてのみ提供されることが可能である。
【００３１】
適切な加入者プライバシー設定データベースは、例えば、米国、メリーランド州、アナポリス市のテレコミュニケーション・システムズ社（ＴｅｌｅＣｏｍｍｕｎｉｃａｔｉｏｎ  Ｓｙｓｔｅｍｓ  Ｉｎｃ．）から入手可能な市販のＸｙｐｏｉｎｔロケーション・サービス・ゲートウェイ（Ｘｙｐｏｉｎｔ  Ｌｏｃａｔｉｏｎ  Ｓｅｒｖｉｃｅｓ  Ｇａｔｅｗａｙ）（ＸＬＳＧ）を経由して提供されることが可能である。ＸＬＳＧは、プライバシー・ハブ（ｐｒｉｖａｃｙ  ｈｕｂ）のステアリング・ゲートウェイ（ｓｔｅｅｒｉｎｇ  ｇａｔｅｗａｙ）との組合せである。ロケーション・サービス・ゲートウェイＸＬＳＧは、ＬＣＳクライアントレベルおよび加入者レベルのプライバシーを管理する。加入者には、ＸＬＳＧのプライバシー設定が提供される。ＸＬＳＧはまた、ステアリング・ルール（ｓｔｅｅｒｉｎｇ  ｒｕｌｅｓ）を管理する。したがって、要求、デバイス、および／またはネットワークのタイプに応じて、コールは、ＧＭＬＣ／ＭＰＣ、ＳＭＬＣ、またはＳＵＰＬのいずれかにルーティングされることが可能である。
【００３２】
図３は、本発明の原理に従って、加入者のコールに関連したロケーション加入サービスに加入している着信側パーティに関連した情報を保持するデータベースを含めて、着信側パーティに対する電話コールを開始するときに発信者の現在のロケーションを着信側パーティに対して提供する、コールに関連したロケーション情報サービスを含む通信ネットワークのさらに別の例示の実施形態を示すものである。
【００３３】
とりわけ、図３に示されるように、着信側パーティのネットワーク１６０は、利益の追加手段をワイヤレス・ネットワークに提供する、適切な加入者のコールに関連したロケーション加入サービス３００に対するアクセス権を有することができる。そのようなサービスを使用して、着信側パーティのネットワーク１６０は、現在のロケーション情報の提供の前に現在のロケーション・サービスに対する着信側デバイス１１０の加入を検証することになる。
【００３４】
図４は、本発明の原理に従って、ネットワークのロケーション・ベースのサービス（ＬＢＳ）サーバから発信者の現在のロケーションを取得するための、および着信コールの受け入れの前に発信者の現在のロケーションを着信側パーティに対して提供するための第１の例示のプロシージャを示すものである。
【００３５】
例示のコール・フローは、セルラー方式の９１１（緊急事態）のコール・フローに類似しており、これは、地上通信線の上のあらゆる電話、セル電話、またはＶＯＩＰを可能性のあるロケーション・デバイスとするものであるが、それぞれは、使用されるコール・フローと特定の技術とにおける変形を必要とする。
【００３６】
動作中に、コールが行われるときに、ロケーション要求が、発信者のコールによってトリガされる。ロケーション要求は、ロケーション・ベースのサービス（ＬＢＳ）技術を使用して、発信側デバイス１２０の現在のロケーションを要求して、発信者によって確立される任意のプライバシー・コンフィギュレーション設定を受けて、適切なロケーション・サーバ１４０に対して送信される。
【００３７】
とりわけ、図４のステップ４１０において示されるように、コールが、発信側デバイス１２０から着信側デバイス１１０に対して開始される。
【００３８】
ステップ４２０において、発信側デバイス１２０の現在のロケーションについての要求が、ＬＢＳサーバ１４０に対して送信される。本発明に従って、コール・セットアップ中に、ロケーション要求は、粗いロケーション技術または正確なロケーション技術（例えば、ＭＰＣ、ＧＭＬＣ、ＳＭＬＣ、ＳＵＰＬ）を使用して行われる。要求は、応答した発信側デバイス１２０の現在のロケーションが、着信側デバイス１１０に対してルーティングされて、発信者のワイヤレス・ネットワーク１５０の内部から開始されることが可能である。あるいは、着信側パーティのネットワーク１６０は、発信側デバイス１２０の現在のロケーションを着信側デバイス１１０に対するサービスとして要求することができる。
【００３９】
したがって、コールが行われるときに、ＭＬＰ要求が、ロケーション・ベースのサービス（ＬＢＳ）サーバ１４０に対して送信される。コールに関連した情報（例えば、発信者識別情報（ＣＩＤ））の妥当性検証が、同時に行われる。
【００４０】
ステップ４４０において、発信側デバイス１２０に関連した現在のロケーション情報は、着信側デバイスのディスプレイ１００の上での表示のために、着信側デバイス１１０に送信される。
【００４１】
ロケーション・サーバ１４０は、最初に最も可能性のある位置を送信するように構成されており、関連のある機能が、イネーブルにされ、それに対して加入され、そのための支払いが行われ、またはそれ以外の方法で提供される場合に、発信側デバイス１２０の正確なロケーションをコールに関連した情報として提供するために獲得し続けることができることが好ましい。着信側デバイス１１０による（ＸＬＳＧプロファイル）。
【００４２】
ステップ４５０において、発信側デバイス１２０の現在のロケーション情報についての再検討のすぐ後に、着信側デバイス１１０は、コールに応答する。
【００４３】
他の実施形態においては、発信側デバイス１２０の現在のロケーションは、コールの確立の後に、着信側デバイス１１０に対して提供されることが可能である。これは、緊急事態システムおよび緊急事態シナリオにおいて特に有用である。
【００４４】
図５は、本発明の原理に従って、発信側デバイスそれ自体から発信者の現在のロケーションを提供するための、および着信コールの受け入れの前に発信者の現在のロケーションを着信側パーティに対して提供するための第１の例示のプロシージャを示すものである。
【００４５】
具体的に言うと、図５のステップ５１０に示されるように、コールが開始される。
【００４６】
ステップ５２０において、発信側デバイス１２０の現在のロケーションは、発信側デバイス１２０それ自体を位置付けするＧＰＳなど、デバイスの上の衛星ロケーション・システムによって提供される。
【００４７】
ステップ５３０において、発信側デバイス１２０の現在のロケーションおよびコールそれ自体についてのコール要求は、発信側デバイス１２０により発信者のワイヤレス・ネットワーク１５０に対して送信される。
【００４８】
ステップ５４０において、現在のロケーション情報は、表示のために着信側デバイス１１０に対して送信される。
【００４９】
ステップ５５０において、コールは発信側デバイス１２０と着信側デバイス１１０との間で確立され、発信側デバイス１２０の現在のロケーションは、発信側デバイス１２０それ自体から取得される。
【００５０】
本発明の原理に従って、発信側デバイス１２０の現在のロケーションは、発信側パーティおよび／または発信側パーティのサービス・ネットワーク１５０によって認可されるレベルまでだけ、着信側デバイス１１０に対して提供される。したがって、例えば、現在のロケーションのプライバシー設定データベース２００において保持されるコンフィギュレーション・ファイルに従って、発信側デバイス１２０の現在のロケーションは、認可される程度、例えば、粗い（例えば、ぼやけさせられた）程度、または正確な（例えば、完全な詳細を伴う）程度までだけ、着信側デバイス１１０に対して提供される。発信側デバイス１２０の現在のロケーションは、必要に応じてぼやけさせられ、強化されたロケーション・ベースのコールに関連した情報（例えば、発信者識別情報）として着信側デバイス１１０に対して戻される。
【００５１】
発信者の現在のロケーションの提供は、ワイヤレス・ネットワーク・プロバイダによってアド・オン・サービスに結合されることが可能である。それゆえに、そのようなサービスが、アクティブにされながら、そのサービスを有する着信側加入者は、発信者の本発明の現在のロケーションと一緒に、それ以外の従来の発信者識別情報を受信することになる。
【００５２】
別の実施形態においては、逆方向のコールに関連した情報サービスが、提供されることが可能である。そのような一実施形態においては、発信側デバイスは、着信側デバイスに対して適用可能な任意のプライバシー設定（例えば、ロケーション・サービスの電話ベースの使用可能性）を受けて、着信側デバイスの現在のロケーションを取得することができる。そのようなサービスは、例えば、緊急事態コールが切れてしまった、または声が出ない状況などという場合の緊急事態の人に対する特定の適用可能性を有する。
【００５３】
このＬＢＳインフラストラクチャは、ハンド・ヘルド・アプリケーションによって使用されるように適合させられる。軽量なＸＬＳＧに加えてＰＤＥ／ＰＤＭが使用され得る異なるアーキテクチャが、好ましい可能性がある。
【００５４】
本発明によれば、コールに関連したロケーション情報を通常の方法で着信側パーティが使用して、例えば、電話を使った販売活動をする人と、迷惑電話と、他の侵入との影響を追跡して突き止め、または制限することができる。別のアプリケーションにおいては、本発明の原理に従う強化されたロケーション・ベースのコールに関連した情報（発信者識別情報）の使用は、着信側パーティが、発信者による非緊急事態のコールの場合に、より優れたレベルの支援（例えば、彼らが、隣人、近くのガソリン・スタンドなどに対してコールを行うことを可能にすること）を提供する能力を提供する。
【００５５】
本発明は、セルラー方式通信と、地上通信線の通信と、ボイス・オーバー・インターネット・プロトコル（ＶｏＩＰ）通信と、スマートフォンと、他のハンドヘルド・デバイスとに対する特定の適用可能性を有している。
【００５６】
本発明は、その例示の実施形態に関連して説明されてきているが、当業者は、本発明の真の精神および範囲を逸脱することなく、本発明の説明された実施形態に対して様々な修正を行うことが可能であろう。
【図１】
2013526148.tif 000003
【図２】
2013526148.tif 000004
【図３】
2013526148.tif 000005
【図４】
2013526148.tif 000006
【図５】
2013526148.tif 000007
【国際調査報告】
2013526148.tif 000008